(57)【要約】【課題】工場等の内部の空間を仕切ることなく、空調エネルギー使用量を可及的に低減しながら、複数の作業エリアをゾーン空調することのできる空調建屋を提供すること。【解決手段】少なくとも床１７と屋根１１とを有し、二以上の空調ゾーンＺ１，Ｚ２を内部に備えている空調建屋１００であって、空調ゾーンＺ１，Ｚ２ごとに、空調ゾーンＺ１，Ｚ２の上方であってかつ屋根１１の下方に天井材２０が配設されており、天井材２０には、空調ゾーンＺ１，Ｚ２内に空調空気を提供する空調機４０が取り付けられており、二以上の空調ゾーンＺ１，Ｚ２が仕切られずに連続している。【選択図】図１
2020200739.tif 000002
【特許請求の範囲】
【請求項１】
少なくとも床と屋根とを有し、二以上の空調ゾーンを内部に備えている空調建屋であって、
前記空調ゾーンごとに、該空調ゾーンの上方であってかつ前記屋根の下方に天井材が配設されており、
前記天井材には、前記空調ゾーン内に空調空気を提供する空調機が取り付けられており、
二以上の前記空調ゾーンが仕切られずに連続していることを特徴とする、空調建屋。
【請求項２】
前記天井材の下面に前記空調機が取り付けられ、該天井材の周囲に無端状の垂れ壁が設けられており、
前記天井材の下面に沿って流通する前記空調空気が前記垂れ壁により下方に気流方向を変更されることを特徴とする、請求項１に記載の空調建屋。
【請求項３】
前記空調機に流体連通する室外機が、前記天井材と前記屋根により挟まれる天井空間に配設されていることを特徴とする、請求項１又は２に記載の空調建屋。
【請求項４】
前記屋根において、屋外に連通する換気扇が設けられていることを特徴とする、請求項３に記載の空調建屋。
【請求項５】
前記天井材の上面は高反射率を有し、
前記天井材の下面は高放射率を有することを特徴とする、請求項１乃至４のいずれか一項に記載の空調建屋。
【請求項６】
前記天井材は、断熱材を芯材とし、該芯材の上面に高反射率の層が形成され、該芯材の下面に高放射率の層が形成されていることを特徴とする、請求項５に記載の空調建屋。
【請求項７】
前記天井材の上面には、前記空調機と、該空調機に流体連通する室外機が取り付けられており、
前記床の下方には空調空気が流通する流通空間があり、該床には複数の空調空気の吹き出し孔が開設されており、
前記空調機と前記流通空間をダクトが繋いでおり、
前記天井材には、前記空調ゾーンを上昇する空調空気が該天井材と前記屋根により挟まれる天井空間に排気される排気孔が開設されていることを特徴とする、請求項１に記載の空調建屋。
【発明の詳細な説明】
【技術分野】
【０００１】
本発明は、空調建屋に関する。
【背景技術】
【０００２】
例えば工場の空調方式には、作業員や機器に直接冷風（空調空気）を当てるスポット空調や、大空間を対象としたゾーン空調など、様々な空調方式が存在している。その中でも、工場全体に作業員が配置される場合や、作業位置が一定でない場合等においては、ゾーン空調が有効になる。このゾーン空調においては、空間に仕切りがない場合に空調エリアが広くなり過ぎ、作業領域以外の空間も空調することとなり、空調エネルギー使用量が多くなるといった課題がある。
【０００３】
この課題を解消するべく、複数の空調ゾーンごとに仕切りを設け、作業エリアに相当する空調ゾーンのみを空調する方式が考えられるが、工場内部の空間を仕切りで区切ると、工場内をクレーン等が自由に走行し難くなることや、複数の作業エリア間をコンベア等で繋いで製品を連続搬送できなくなるといった新たな課題が発生することから好ましくない。
【０００４】
ここで、快適空調を実現でき、小型化と省エネ化を図ることのできるゾーン空調機が提案されている。具体的には、被空調ゾーンからの還気を冷却・加熱切換自在として熱交換する給気用熱交換器を備えた本体ユニットと、給気用熱交換器の通過還気を被空調ゾーンへ吹出す吹出口を正面に設けた二つの吹出ユニットとを有している（例えば、特許文献１参照）。
【先行技術文献】
【特許文献】
【０００５】
【特許文献１】特開２００９−１０３４０９号公報
【発明の概要】
【発明が解決しようとする課題】
【０００６】
特許文献１に記載のゾーン空調機を工場等に適用したとしても、工場等の内部の空間を仕切ることなく、空調エネルギー使用量を可及的に低減しながら、複数の空調ゾーンを空調できるか否かは定かでない。
【０００７】
本発明は上記する課題に鑑みてなされたものであり、工場等の内部の空間を仕切ることなく、空調エネルギー使用量を可及的に低減しながら、複数の作業エリアをゾーン空調することのできる空調建屋を提供することを目的としている。
【課題を解決するための手段】
【０００８】
前記目的を達成すべく、本発明による空調建屋の一態様は、
少なくとも床と屋根とを有し、二以上の空調ゾーンを内部に備えている空調建屋であって、
前記空調ゾーンごとに、該空調ゾーンの上方であってかつ前記屋根の下方に天井材が配設されており、
前記天井材には、前記空調ゾーン内に空調空気を提供する空調機が取り付けられており、
二以上の前記空調ゾーンが仕切られずに連続していることを特徴とする。
【０００９】
本態様によれば、屋根の下方において、屋根とは独立して例えば水平方向に延設する天井材が空調ゾーンごとに配設され、各天井材に固有の空調機（室内機）が取り付けられていることにより、屋根からの放射熱を天井材にて遮りながら、空調機にてゾーン空調を行うことができる。そのため、二以上の空調ゾーンが仕切られずに連続した空間において、空調エネルギー使用量を可及的に低減しながら各作業エリアをゾーン空調することができる。ここで、各空調ゾーンの有する天井材は、屋根から吊り下げられることにより、もしくは、建屋の壁から張出すことにより、取り付けられる。また、各空調ゾーンの有する天井材は、例えば相互に間隔を置いて配設されることにより、任意の空調ゾーンの天井材の有する熱が他の空調ゾーンの天井材に伝熱されることを抑制できる。本態様の空調建屋では、各空調ゾーンが固有の天井材を備えていることにより、天井材に対して固有の空調機を取り付けることができる。
【００１０】
また、各空調ゾーンが固有の天井材を備えていることにより、空調ゾーンごとに天井材の設置レベルを調整することができる。例えば、低い位置に天井材を配設することにより、天井材下方の空調ゾーンの空調空間を可及的に狭くすることができ、このことにより、空調ゾーンの空調を速やかに行うことが可能になり、あるいは、空調機の動力を削減することができる。また、工場等の内部における二以上の空調ゾーンが壁やパーティションにて仕切られずに連続していることにより、工場内をフォークリフトやクレーン、自走式ロボット等が自由に走行することができ、複数の作業エリア（空調ゾーン）間をコンベア等で繋いで製品を連続搬送することができる。すなわち、本態様の空調建屋は、空調ゾーンが固有の天井材を有するものの、各空調ゾーンが仕切りで区画されていない構成を有することにより、上記する様々な効果を奏するものである。
【００１１】
また、本発明による空調建屋の他の態様は、前記天井材の下面に前記空調機が取り付けられ、該天井材の周囲に無端状の垂れ壁が設けられており、
前記天井材の下面に沿って流通する前記空調空気が前記垂れ壁により下方に気流方向を変更されることを特徴とする。
【００１２】
本態様によれば、天井材の下面に取付けられている空調機から例えば水平に吹き出された空調空気を天井材の下面に沿って水平方向に流した後、天井材の周囲に設けられている無端状の垂れ壁により空調空気を下方に流すことにより、空調空気を空調ゾーンにおいて還流させ、空調ゾーンの効果的な空調を図ることができる。ここで、「無端状の垂れ壁」とは、例えば、平面視矩形の天井材や平面視円形の天井材において、その輪郭に沿う矩形枠状や円形枠状の垂れ壁のことを意味している。例えば水平方向に延設する天井材の下面に沿って水平方向に空調空気を流すと、コアンダ効果により天井材の下面に沿う空調空気の付着流が形成されることから、天井材の下面の全域に空調空気を効果的に流すことができる。例えば、平面視矩形の一つの隅角位置に空調機を設置して空調空気を吹き出すと、吹き出された空調空気は、矩形枠状（無端状）の垂れ壁に沿って天井材の下面を平面視環状に流れて天井材の下面の全域に広がることができる。このように、コアンダ効果を利用して空調空気を流すことにより、空調機の動力を削減することができる。
【００１３】
垂れ壁により下方に気流方向を変更された空調空気は、空調ゾーンの床面に到達する。天井材において空調機が取り付けられている領域は、空調空気の吹き出しによって他の領域よりも負圧雰囲気となっており、従って、床面に到達した空調空気は、床面を流れた後、空調機のある負圧エリアに気流方向を変更し、天井材の負圧エリアに向かって上昇する。このようにして、空調ゾーンにおける空調空気の還流が生成される。
【００１４】
また、本発明による空調建屋の他の態様は、前記空調機に流体連通する室外機が、前記天井材と前記屋根により挟まれる天井空間に配設されていることを特徴とする。
【００１５】
本態様によれば、空調機に流体連通する室外機が天井材と屋根により挟まれる天井空間に配設されていることにより、空調機と室外機を繋ぐ冷媒管等の長さを可及的に短くすることができ、冷媒管等の配管経路を工夫する必要がなくなる。仮に室外機が文字通り建屋の外に設置されていると、空調機と室外機を繋ぐ冷媒管の長さが自ずと長くなる。また、冷媒管の長さが長くなると、クレーン等が走行する工場等の内部においては、走行を阻害しない経路に冷媒管を配設する工夫が必要になる。本態様においては、これらの問題が解消されるとともに、冷媒管の材料コストを削減できる。例えば、天井材の下面の一端に空調機が取り付けられている形態においては、天井材の上面における空調機に対応する位置に室外機を設置し、双方を冷媒管にて接続することができる。
【００１６】
また、本発明による空調建屋の他の態様は、前記屋根において、屋外に連通する換気扇が設けられていることを特徴とする。
【００１７】
本態様によれば、例えばルーフファン等の屋外に連通する換気扇が屋根に設けられていることにより、天井空間に配設されている室外機から排気される高温空気を、屋外に効果的に排気することができる。尚、建屋の壁の上方位置（天井空間に相当する位置）に換気扇が設置される形態であってもよい。ここで、室外機には、換気扇に向かう高温空気の流れを促進させる風向板がその前面に取り付けられているのがよい。
【００１８】
また、本発明による空調建屋の他の態様において、前記天井材の上面は高反射率を有し、
前記天井材の下面は高放射率を有することを特徴とする。
【００１９】
本態様によれば、天井材の上面が高反射率を有していることにより、屋根から放射された放射熱を天井材の上面において反射させ、天井材の昇温を抑制することができる。また、天井材の下面が高放射率を有していることにより、例えば天井材の下面に取付けられている空調機から吹き出された空調空気により天井材の下面が冷やされ、この下面の冷熱を天井材の下方の空調ゾーンに放射させることができる。ここで、「高反射率」とは、アルミニウムや銀のように、３００ｎｍ乃至４００ｎｍ以上の波長レベルにおいて反射率が８０％以上の素材のみならず、同様の波長レベルにおいて反射率が５０％以上の鉄等も含んでいる。一方、「高放射率」とは、高反射率の上面よりも低反射率（に相当する放射率）であることを意味しており、例えば、天井材の上面にアルミニウムを適用した場合は、これよりも高放射率（低反射率）の素材である銅や鉄等が例示できる。
【００２０】
また、本発明による空調建屋の他の態様において、前記天井材は、断熱材を芯材とし、該芯材の上面に高反射率の層が形成され、該芯材の下面に高放射率の層が形成されていることを特徴とする。
【００２１】
本態様によれば、天井材が、断熱材を芯材として、その上面に高反射率の層を有し、その下面に高放射率の層を有することにより、屋根から高反射率の層に放射された放射熱を断熱材にて遮断し、高放射率の層への熱の伝達を抑制することができる。
【００２２】
また、本発明による空調建屋の他の態様において、前記天井材の上面には、前記空調機と、該空調機に流体連通する室外機が取り付けられており、
前記床の下方には空調空気が流通する流通空間があり、該床には複数の空調空気の吹き出し孔が開設されており、
前記空調機と前記流通空間をダクトが繋いでおり、
前記天井材には、前記空調ゾーンを上昇する空調空気が該天井材と前記屋根により挟まれる天井空間に排気される排気孔が開設されていることを特徴とする。
【００２３】
本態様によれば、天井材の上面に空調機と室外機を相互に流体連通させて配置し、床の下方の流通空間にダクトを介して空調空気を送り、床の吹き出し孔から床上の空調ゾーンに空調空気を提供することにより、屋根からの放射熱を天井材にて遮りながら、空調機にて空調ゾーンの空調を行うことができる。ここで、床は、流通空間を有する二重床や、建屋の床の上に設置されて流通空間を備える作業床架台などにより形成できる。空調ゾーンを上昇する過程で昇温した空調空気は、天井材の有する排気孔を介して天井空間に送られ、屋根を介して屋外に排気等される。
【発明の効果】
【００２４】
以上の説明から理解できるように、本発明の空調建屋によれば、工場等の内部の空間を仕切ることなく、空調エネルギー使用量を可及的に低減しながら、複数の空調ゾーンをゾーン空調することができる。
【図面の簡単な説明】
【００２５】
【図１】第１の実施形態に係る空調建屋の一例を示す縦断面図である。
【図２】（ａ）、（ｂ）はいずれも、天井材の例を示す縦断面図である。
【図３】図１のIII方向矢視図であって、天井材の下面における空調空気の流れの一例を示す図である。
【図４】第２の実施形態に係る空調建屋の一例を示す縦断面図である。
【発明を実施するための形態】
【００２６】
以下、各実施形態に係る空調建屋の一例について、添付の図面を参照しながら説明する。尚、本明細書及び図面において、実質的に同一の構成要素については、同一の符号を付することにより重複した説明を省く場合がある。
【００２７】
［第１の実施形態に係る空調建屋］
はじめに、図１乃至図３を参照して、第１の実施形態に係る空調建屋について説明する。ここで、図１は、第１の実施形態に係る空調建屋の一例を示す縦断面図であり、図２（ａ）、（ｂ）はいずれも、天井材の例を示す縦断面図である。また、図３は、図１のIII方向矢視図であって、天井材の下面における空調空気の流れの一例を示す図である。
【００２８】
空調建屋１００は、基礎１９に支持される床１７と、壁１４と、屋根１１とを有し、内部に二以上の空調ゾーンＺ１，Ｚ２を備えている建屋１０により形成される。空調建屋１００は、各種の製品や部品を製造する工場や物流倉庫等に適用されるものであり、二以上の空調ゾーンＺ１，Ｚ２はそれぞれ作業エリアを形成し、各作業エリアをゾーン空調する建屋である。尚、図示例の建屋１０には、二つの空調ゾーンＺ１，Ｚ２のみが示されているが、建屋１０が三以上の空調ゾーンを有していてもよい。
【００２９】
各空調ゾーンＺ１，Ｚ２は、それらの上方であってかつ屋根１１の下方において、それぞれに固有の天井材２０を有している。天井材２０は、屋根１１から吊材２８を介して吊られた吊り天井である。図示例は、空調ゾーンＺ１，Ｚ２のそれぞれの天井材２０の設置レベルを同レベルとしているが、空調ゾーンＺ１，Ｚ２ごとに天井材２０の設置レベルを異ならせてもよいし、双方の天井材２０の設置レベルを作業に支障のない範囲で可及的に低い位置に設定してもよい。天井材２０の下方の空調ゾーンＺ１，Ｚ２の空調空間を可及的に狭くすることにより、空調ゾーンＺ１，Ｚ２の空調を速やかに行うことが可能になり、空調機２０の動力の削減に繋がる。尚、天井材の端部が壁により支持され、壁から建屋の内部に水平に張り出す形態（キャンチ構造）等であってもよい。
【００３０】
各空調ゾーンＺ１，Ｚ２は、壁やパーティション等により相互に仕切られることなく、連続した空間を形成している。
【００３１】
天井材２０と屋根１１の間には天井空間Ｒが形成されており、天井材２０を垂下する複数の吊材２８が天井空間Ｒを上下に貫通している。
【００３２】
屋根１１は、鋼板やステンレス、ガリバリウム鋼板、これらの板材に合成樹脂塗装やメッキが施された波板や折板等からなる金属屋根により形成されている。尚、屋根１１は、鋼板等の内側にグラスウールや発泡ポリオレフィンフォーム等の断熱材を有していてもよく、さらに、鋼板等の内側や断熱材の内側に低放射率のアルミニウム板等を有していてもよい。屋根を構成する鋼板等の内側に断熱材を有することにより、鋼板等の有する日射熱を断熱材にて遮断することができる。また、屋根を構成する鋼板等の内側に低放射率のアルミニウム板等を備えることにより、日射熱が建屋１０の内部に放射されることを抑制できる。
【００３３】
屋根１１の中央位置（図示例では、空調ゾーンＺ１，Ｚ２を隔てる位置）には、ルーフファン１２（換気扇の一例）が取り付けられている。例えば、図１の紙面奥行方向に他の空調ゾーンが図示する空調ゾーンＺ１，Ｚ２と間隔を置いて設けられている場合は、これら他の空調ゾーンに対応する別途のルーフファンが屋根１１にさらに取り付けられてもよい。尚、空調建屋１００に適用される換気扇としては、図示例のルーフファン１２以外にも、壁１４の上方位置（天井空間Ｒ等）に取り付けられる、プロペラファンやシロッコファン、ターボファン、斜流ファン、ラインフローファンなどであってもよい。
【００３４】
壁６は、金属製の外装材及び内装材が溝形鋼等の形鋼材による下地材により接合された構造を呈しており、鉄筋コンクリート製の布基礎９の上に立設されている。また、床１７は、例えば鉄筋コンクリート製の土間コンクリートスラブにより形成される。
【００３５】
天井材２０の下面には、空調機４０が取り付けられている。より具体的には、図３に示すように、平面視矩形の天井材２０の一つの隅角部の近傍に、空調空気を水平方向に吹き出す空調機４０が固定されている。
【００３６】
一方、天井材２０の上面の天井空間Ｒには、室外機５０が取り付けられている。ここで、室外機は、文字通り建物の屋外に設置されて熱風を排気する機器であるが、空調建屋１００においては、建屋１０の屋内に設置されるものとする。
【００３７】
天井材２０の下面には空調機４０が取り付けられ、例えば天井材２０の上面における空調機４０と対応する位置には室外機５０が取り付けられており、天井材２０に開設されている貫通孔２０ａを介して貫通する冷媒管５８が、空調機４０と室外機５０を流体連通している。
【００３８】
通常の室外機のように屋外に室外機が設置される場合、空調機と室外機を繋ぐ冷媒管の長さは長くなる傾向にあるが、図１からも明らかなように、天井材２０を挟んで空調機４０と室外機５０が近接した位置に配設されていることにより、双方を繋ぐ冷媒管５８の長さを可及的に短くすることができる。
【００３９】
室外機５０の前面（排気面）には、ルーフファン１２に配向された風向板５５が取り付けられている。
【００４０】
図２（ａ）に示すように、天井材２０は、芯材２１と、芯材２１の上面にある高反射率層２２と、芯材２１の下面にある高放射率層２３とにより形成される。芯材２１は断熱材からなり、例えば、発泡ポリスチレン、発泡スチレン、発泡ポリオレフィン、ポリスチレン、スチレン等のフォーム材により形成される。また、高反射率層２２には、アルミニウム板やアルミニウムフィルム等が適用され、これを芯材２１に接着等することができる。さらに、高放射率層２３には、鉄板や銅板、銅フィルム等が適用され、これを芯材２１に接着等することができる。
【００４１】
一方、図２（ｂ）には、他の例の天井材２０Ａを示している。天井材２０Ａは、例えば井桁状のフレーム枠２４を芯材とし、この上下に高反射率層２２と高放射率層２３が取り付けられている形態である。天井材２０Ａでは、上下の高反射率層２２と高放射率層２３にて挟まれたフレーム枠２４の内部の隙間Ｇが断熱層を形成する。
【００４２】
空調建屋１００は、屋根１１の下方において、屋根１１とは独立して例えば水平方向に延設する天井材２０が空調ゾーンＺ１，Ｚ２ごとに配設され、各天井材２０に固有の空調機４０が取り付けられていることにより、屋根１１からの放射熱を天井材２０にて遮りながら、空調機４０にてゾーン空調を行うことができる。
【００４３】
また、天井材２０，２０Ａがその上面に高反射率層２２を有していることにより、屋根１１から放射された放射熱を天井材２０，２０Ａの上面の高反射率層２２においてＹ１方向に反射させ、天井材２０，２０Ａの昇温を抑制することができる。
【００４４】
また、天井材２０，２０Ａが、断熱材からなる芯材２１や断熱層を形成する隙間Ｇを備えた芯材２４を高反射率層２２と高放射率層２３の間に有することにより、屋根１１から高反射率層２２に放射された放射熱を芯材２１，２４にて遮断し、高放射率層２３への熱の伝達を抑制することができる。
【００４５】
さらに、天井材２０がその下面に高放射率層２３を有していることにより、天井材２０，２０Ａの下面に取付けられている空調機４０から吹き出された空調空気により天井材２０，２０Ａの下面が冷やされ、この下面の冷熱を天井材２０，２０Ａの下方の空調ゾーンＺ１，Ｚ２にＹ２方向に放射させることができる。
【００４６】
このように、高反射率層２２と高放射率層２３を上下に備えた天井材２０，２０Ａを各空調ゾーンＺ１，Ｚ２の天井に配置し、天井材２０，２０Ａの上下に室外機５０と空調機４０を取り付けた構成により、二以上の空調ゾーンＺ１，Ｚ２が仕切られずに連続した空間において、空調エネルギー使用量を可及的に低減しながら各作業エリアを効果的にゾーン空調することができる。また、各空調ゾーンＺ１，Ｚ２が仕切られずに連続していることから、工場等の内部をフォークリフトやクレーン、自走式ロボット等が自由に走行することができ、複数の作業エリア（空調ゾーンＺ１，Ｚ２）間をコンベア等で繋いで製品を連続搬送することができる。
【００４７】
図１に戻り、天井材２０の下面の周囲には、無端状の垂れ壁３０が設けられている。図３に示すように、天井材２０の平面視形状は矩形であり、垂れ壁３０もこの天井材２０の外側輪郭と同様の矩形枠状の線形を有している。そして、無端状の垂れ壁３０の内側に空調機４０が配設されている。
【００４８】
図１に示すように、空調機４０から天井材２０の下面に沿って水平方向であるＸ１方向に空調空気を流すと、コアンダ効果により天井材２０の下面に沿う空調空気の付着流が形成される。図３に示すように、平面視矩形の天井材２０の一つの隅角位置にある空調機４０から水平方向であるＸ１方向に空調空気を吹き出すと、吹き出された空調空気は、矩形枠状の垂れ壁３０に沿って天井材２０の下面を平面視環状に流れて天井材２０の下面の全域に広がることができる。
【００４９】
また、図１に示すように、天井材２０の下面を付着流を形成しながらＸ１方向に流れる空調空気は、その一部が垂れ壁３０により下方のＸ２方向に気流方向を変更され、空調ゾーンＺ１，Ｚ２をＸ３方向に流下して床面に到達する。
【００５０】
ところで、天井材２０において空調機４０が取り付けられている領域は、空調空気の吹き出しによって他の領域よりも負圧領域Ｎを形成している。そのため、床面に到達した空調空気は、気流方向を負圧領域Ｎのある側のＸ４方向に変更され、床面を水平方向であるＸ５方向に流れた後、気流方向をＸ６方向に変更され、空調ゾーンＺ１，Ｚ２をＸ７方向に上昇して天井材２０の近傍の負圧領域Ｎに向かって流れる。
【００５１】
このよう、図３に示す天井材２０の下面における空調空気の還流と、図１に示す空調ゾーンＺ１，Ｚ２における空調空気の還流といった、三次元的な還流が生成され、空調ゾーンＺ１，Ｚ２を空調空気にて効果的に空調することができる。
【００５２】
コアンダ効果を利用するべく、空調機４０から天井材２０の下面に沿って水平方向に空調空気を流すこと、及び、無端状の垂れ壁３０によって空調空気の気流方向を適宜変更することにより、空調機の動力を削減しながら、空調ゾーンＺ１，Ｚ２の空調を行うことができる。
【００５３】
尚、垂れ壁３０は、図示例のように水平方向に延設する天井材２０から垂直下方に垂れる態様のみならず、空調ゾーンＺ１，Ｚ２の内側に傾斜して垂れる態様や、空調ゾーンＺ１，Ｚ２の外側に傾斜して垂れる態様などもあり、これら種々の態様により、所望する気流方向の変更を実現することができる。
【００５４】
空調ゾーンＺ１，Ｚ２を還流する過程で昇温した昇温空気が空調機４０に流入した後、冷媒管５８を介して室外機５０に送られ、室外機５０の前面の風向板５５を介してルーフファン１２に向けてＸ８方向に排気される。ルーフファン１２は屋外に通じる排気口１２ａを有しており、ルーフファン１２を作動することにより、室外機５０から排気された昇温空気はルーフファン１２により取り込まれ、排気口１２ａを介して屋外へＸ９方向に排気される。
【００５５】
［第２の実施形態に係る空調建屋］
次に、図４を参照して、第２の実施形態に係る空調建屋について説明する。ここで、図４は、第２の実施形態に係る空調建屋の一例を示す縦断面図である。
【００５６】
空調建屋２００では、複数の排気孔２６が開設されている天井材２０Ａが各空調ゾーンＺ１，Ｚ２の天井に配設されている。図示する天井材２０Ａは、空調建屋１００の有する天井材２０と同様に垂れ壁３０を備えているが、本形態では垂れ壁３０により空調空気の気流方向を変更するものでないことから、垂れ壁３０は必ずしも必要でない。
【００５７】
また、ダクト空調機４０Ａが天井空間Ｒ内にある天井材２０Ａの上面に配設され、同様に天井材２０Ａの上面に室外機５０が配設され、双方が冷媒管５８により流体連通している。
【００５８】
床は、土間コンクリートスラブ１７と、その上方にある流通空間Ｕを介して配設されている上床材１８と、により形成される二重床である。上床材１８の端部には連絡口１８ａが開設され、上床材１８の空調ゾーンＺ１，Ｚ２に対応する位置には複数の吹き出し孔１８ｂが開設されている。
【００５９】
ダクト空調機４０Ａにはダクト５９の一端が取り付けられ、ダクト５９は壁１４に沿って上下方向に延設し、ダクト５９の他端は上床材１８の連絡口１８ａに繋がっている。
【００６０】
図４に示す構成により、ダクト空調機４０ＡからＸ１０方向に吹き出された空調空気は、ダクト５９を介して連絡口１８ａから流通空間ＵにＸ１１方向に流入し、流通空間Ｕを通過する過程で上床材１８の有する複数の吹き出し孔１８ｂを介してＸ１２方向に上昇し、空調ゾーンＺ１，Ｚ２に提供される。
【００６１】
天井材２０Ａの上方にあるダクト空調機４０Ａの近傍には負圧領域Ｎが形成されており、空調ゾーンＺ１，Ｚ２を上昇する過程で空調空気が昇温してなる昇温空気は、天井材２０Ａの有する複数の排気孔２６を介してＸ１３方向に天井空間Ｒに流入する。天井空間Ｒに流入した昇温空気は作動するルーフファン１２に取り込まれ、排気口１２ａを介して屋外へＸ９方向に排気される。同時に、室外機５０から排気された昇温空気もルーフファン１２により取り込まれ、排気口１２ａを介して屋外へＸ９方向に排気される。
【００６２】
天井材２０Ａも、天井材２０と同様に、図２（ａ）もしくは図２（ｂ）に示す構造を有している。空調建屋２００によっても、屋根１１の下方において、屋根１１とは独立して例えば水平方向に延設する天井材２０Ａが空調ゾーンＺ１，Ｚ２ごとに配設され、各天井材２０Ａに固有の空調機４０Ａが取り付けられていることにより、屋根１１からの放射熱を天井材２０Ａにて遮りながら、空調機４０Ａにてゾーン空調を行うことができる。また、各空調ゾーンＺ１，Ｚ２が仕切られずに連続していることから、工場等の内部をフォークリフトやクレーン、自走式ロボット等が自由に走行することができ、複数の作業エリア（空調ゾーンＺ１，Ｚ２）間をコンベア等で繋いで製品を連続搬送することができる。
【００６３】
上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【符号の説明】
【００６４】
１０：建屋
１１：屋根
１２：ルーフファン（換気扇）
１２ａ：排気口
１４：壁
１７：床（土間コンクリートスラブ）
１８：上床材
１８ａ：連絡口
１８ｂ：吹き出し孔
１９：基礎
２０，２０Ａ：天井材
２０ａ：貫通孔
２１：芯材
２２：高反射率層
２３：高放射率層
２４：フレーム枠（芯材）
２６：排気孔
２８：吊材
３０：垂れ壁
４０：空調機
４０Ａ：ダクト空調機（空調機）
５０：室外機
５５：風向板
５８：冷媒管
５９：ダクト
１００，２００：空調建屋
Ｚ１、Ｚ２：空調ゾーン
Ｒ：天井空間
Ｕ：流通空間
Ｇ：隙間
【図１】
2020200739.tif 000003
【図２】
2020200739.tif 000004
【図３】
2020200739.tif 000005
【図４】
2020200739.tif 000006